(57)【要約】【課題】透過光源と反射光源の両方の影響下で観察される印刷物の適切なカラーマネジメントを行うことができる測色値算出方法、プロファイル生成方法並びに色変換方法、その装置及びプログラムを提供する。【解決手段】印刷物３６の第１の分光データ１０６（分光透過率）と印刷物３６の第２の分光データ１０８（分光反射率）とを取得し、透過光源ＴＳの第３の分光データ１１０（分光放射分布）と反射光源ＲＳの第４の分光データ１１２（分光放射分布）とを取得し、取得された第１、第２、第３及び第４の分光データ１０６、１０８、１１０及び１１２を用いて観察環境下における印刷物３６の測色値データ１１６を算出する。【選択図】図４
2011061723.tif 000002
【特許請求の範囲】
【請求項１】
透過光源及び反射光源が併存する観察環境下において、透過メディアに画像が形成された印刷物の測色値を算出する測色値算出方法であって、
前記印刷物の分光透過率と前記印刷物の分光反射率を取得する第１の取得処理と、
前記透過光源の分光分布と前記反射光源の分光分布とを取得する第２の取得処理と、
取得された前記印刷物の分光透過率、前記印刷物の分光反射率、前記透過光源の分光分布及び前記反射光源の分光分布を用いて前記観察環境下における前記印刷物の測色値を算出する算出処理と
を備えることを特徴とする測色値算出方法。
【請求項２】
請求項１記載の測色値算出方法において、
前記透過光源と前記反射光源の影響度を取得する第３の取得処理をさらに備え、
前記算出処理は、前記影響度をさらに用いて前記観察環境下における前記印刷物の測色値を算出する
ことを特徴とする測色値算出方法。
【請求項３】
請求項１又は２に記載の測色値算出方法において、
保護膜の光学物性値を推定する推定処理と、
前記保護膜の分光透過率を取得する第４の取得処理と、
前記印刷物の分光透過率と取得された前記保護膜の分光透過率とを用いて、前記印刷物に前記保護膜が被覆された保護膜付印刷物の分光透過率を予測する第１の予測処理と、
前記印刷物の分光反射率と推定された前記保護膜の光学物性値とを用いて前記保護膜付印刷物の分光反射率を予測する第２の予測処理と、をさらに備え、
前記算出処理は、前記観察環境下における前記保護膜付印刷物の測色値を算出する
ことを特徴とする測色値算出方法。
【請求項４】
請求項１〜３のいずれか１項に記載の測色値算出方法において、
前記第１の取得処理は、光源を測定する手段又はデータベースから取得する手段を用いて行われる
ことを特徴とする測色値算出方法。
【請求項５】
請求項２又は３に記載の測色値算出方法において、
前記第３の取得処理は、ユーザの指定により前記影響度を取得する手段又は前記透過光源と前記反射光源の測定により前記影響度を取得する手段を用いて行われる
ことを特徴とする測色値算出方法。
【請求項６】
請求項１〜５のいずれか１項に記載の測色値算出方法を用いて、さらに、
前記算出処理により、前記透過メディアに印刷されたカラーチャートの測色値を算出し、
算出された前記カラーチャートの測色値に基づいて前記印刷のプロファイルを生成する生成処理を備える
ことを特徴とするプロファイル生成方法。
【請求項７】
請求項６記載のプロファイル生成方法を用いて、さらに、
任意のプロファイルを入力プロファイルとして用い、前記プロファイル生成方法により生成された前記印刷のプロファイルを出力プロファイルとして用いて、印刷しようとする前記画像を表す画像データを色変換することを特徴とする色変換方法。
【請求項８】
請求項７記載の色変換方法において、
前記印刷のプロファイルを入力プロファイルとして用い、色校正装置のプロファイルを出力プロファイルとして用いて、前記色変換された前記画像データをさらに色変換して色校正装置に入力する処理と、
前記色校正装置により出力された画像を参照しながら前記透過光源と前記反射光源の影響度を調整する調整処理と
をさらに備えることを特徴とする色変換方法。
【請求項９】
透過光源及び反射光源が併存する観察環境下において、透過メディアに画像が形成された印刷物の色変換を行う色変換装置であって、
前記印刷物の分光透過率と前記印刷物の分光反射率を取得する第１の取得部と、
前記透過光源の分光分布と前記反射光源の分光分布とを取得する第２の取得部と、
前記第１の取得部により取得された前記印刷物の分光透過率及び前記印刷物の分光反射率、並びに前記第２の取得部により取得された前記透過光源の分光分布及び前記反射光源の分光分布を用いて前記観察環境下における前記印刷物の測色値を算出する算出部と、
前記算出部により算出された前記観察環境下における前記印刷物の測色値に基づいて印刷プロファイルを生成するプロファイル生成部と、
任意のプロファイルを入力プロファイルとして用い、前記プロファイル生成部により生成された前記印刷プロファイルを出力プロファイルとして用いて、印刷しようとする前記画像を表す画像データを色変換する色変換処理部と
を有することを特徴とする色変換装置。
【請求項１０】
透過光源及び反射光源が併存する観察環境下において、透過メディアに画像が形成された印刷物の色変換を行うためにコンピュータを、
前記印刷物の分光透過率と前記印刷物の分光反射率を取得する処理、
前記透過光源の分光分布と前記反射光源の分光分布とを取得する処理、
前記透過光源の分光分布、前記反射光源の分光分布、前記印刷物の分光透過率及び前記印刷物の分光反射率を用いて前記観察環境下における前記印刷物の測色値を算出する処理、
算出された前記観察環境下における前記印刷物の測色値に基づいて印刷プロファイルを生成する処理、
任意のプロファイルを入力プロファイルとして用い、生成された前記印刷プロファイルを出力プロファイルとして用いて、印刷しようとする前記画像を表す画像データを色変換する処理
として機能させるための色変換プログラム。
【発明の詳細な説明】
【技術分野】
【０００１】
本発明は、透過光源及び反射光源が併存する観察環境下において、透過メディアに画像が形成された印刷物の測色値を算出する測色値算出方法、プロファイル生成方法並びに色変換方法、その装置及びプログラムに関する。
【背景技術】
【０００２】
近年のインクジェット技術の飛躍的進歩に伴い、インクジェット方式の印刷機による高速・高画質を両立したカラー大判印刷が可能になりつつある。この印刷機は、個人的・家庭的用途だけでなく、最近では、特に商業用途において幅広い分野で用いられている。この印刷機を用いることにより、例えば、店頭ＰＯＰ（Ｐｏｉｎｔ  ｏｆ  Ｐｕｒｃｈａｓｅ）や壁面ポスターのみならず、屋外広告・看板等の大サイズメディア、ロールメディア、厚手の硬質メディアに対しても印刷が可能である。
【０００３】
このような多様な商業的需要に応えるため、印刷に用いられる印刷媒体（以下「メディア」という場合がある。）も多種多彩である。例えば、ユポ・厚紙・アルミ蒸着紙等の紙類、塩化ビニル・ＰＥＴ等の樹脂、繊維織物の両面に合成樹脂フイルムを貼り合わせたターポリン等が用いられる。
【０００４】
広告印刷には需要者の視覚を通じてその購買意欲を喚起させる効果が期待されることから、印刷物（印刷された印刷媒体）の色の仕上がりは特に重要である。従来から、印刷物の色管理手段として、ＩＣＣ（Ｉｎｔｅｒｎａｔｉｏｎａｌ  Ｃｏｌｏｒ  Ｃｏｎｓｏｒｔｉｕｍ）プロファイルの作成方法や、指定色の調整方法等の様々なカラーマッチング技術が多数開示されている。
【０００５】
ところで、この印刷物が掲示される場所も多種多彩であり、屋外のみならず、室内や、スポットライト照明に晒される展示場に掲示される場合もある。一般的には、印刷物の掲示場所の差異に応じて、観察光源としての環境光が有する分光特性（分光エネルギー分布）が変化する。このため、同一の印刷物であっても観察光源が異なる場合は、人間の眼の網膜に最終的に到達する光の分光特性が変化するので、程度の多少はあるが、観察者にとっての印刷物の見え（色の印象）が変動し得る。よって、印刷物形成下の観察環境（つまり、印刷機の設置場所）と掲示場所の観察環境とが著しく相違する場合は、所望の色を有する印刷物が得られないという問題が起こり得る。
【０００６】
この問題を解決する方法の一つとして、特許文献１には、印刷物の分光データ及び複数の光源分光データを独立に記憶しておき、観察光源を設定する都度その光源に適切なプロファイルを作成する方法及び装置が開示されている。このように構成すれば、少ない測色作業工数の中で各観察光源に対応するプロファイルを作成可能であり、観察光源に応じた適切な印刷物の色管理を行うことができる旨が記載されている。
【０００７】
また、特許文献２には、プロファイル生成に用いられる分光データとして、印刷物の分光反射率に替えて、フイルム等の分光透過率を用いることができる旨が記載されている（明細書の段落［００７０］参照）。
【先行技術文献】
【特許文献】
【０００８】
【特許文献１】特開２００７−８１５８６号公報
【特許文献２】特開２００３−２９８８５４号公報
【発明の概要】
【発明が解決しようとする課題】
【０００９】
しかしながら、例えば、透過メディアに画像が形成された印刷物が、透過光源及び反射光源が併存する観察環境下、すなわち、透過光源及び反射光源の両方の影響下で掲示される場合、この印刷物の色を適切に管理できないという問題がある。
【００１０】
特許文献１及び２に開示された方法及び装置によっても、このような透過光源及び反射光源が併存する観察環境下を何ら想定していない。
【００１１】
本発明は上記した問題を解決するためになされたもので、透過光源と反射光源の両方の影響下で観察される印刷物の適切なカラーマネジメントを行うことができる測色値算出方法、プロファイル生成方法並びに色変換方法、その装置及びプログラムを提供することを目的とする。
【課題を解決するための手段】
【００１２】
この発明は、透過光源及び反射光源が併存する観察環境下において、透過メディアに画像が形成された印刷物の測色値を算出する測色値算出方法に関する。
【００１３】
そして、前記印刷物の分光透過率と前記印刷物の分光反射率を取得する第１の取得処理と、前記透過光源の分光分布と前記反射光源の分光分布とを取得する第２の取得処理と、取得された前記印刷物の分光透過率、前記印刷物の分光反射率、前記透過光源の分光分布及び前記反射光源の分光分布を用いて前記観察環境下における前記印刷物の測色値を算出する算出処理とを備える。
【００１４】
このように構成したので、透過光源と反射光源の両方の影響下で観察される印刷物に適切なプロファイルを生成することが可能となり、適切なカラーマネジメントを行うことができる。
【００１５】
また、前記透過光源と前記反射光源の影響度を取得する第３の取得処理をさらに備え、前記算出処理は、前記影響度をさらに用いて前記観察環境下における前記印刷物の測色値を算出することが好ましい。
【００１６】
さらに、保護膜の光学物性値を推定する推定処理と、前記保護膜の分光透過率を取得する第４の取得処理と、前記印刷物の分光透過率と取得された前記保護膜の分光透過率とを用いて、前記印刷物に前記保護膜が被覆された保護膜付印刷物の分光透過率を予測する第１の予測処理と、前記印刷物の分光反射率と推定された前記保護膜の光学物性値とを用いて前記保護膜付印刷物の分光反射率を予測する第２の予測処理と、をさらに備え、前記算出処理は、前記観察環境下における前記保護膜付印刷物の測色値を算出することが好ましい。
【００１７】
さらに、前記第１の取得処理は、光源を測定する手段又はデータベースから取得する手段を用いて行われることが好ましい。
【００１８】
さらに、前記第３の取得処理は、ユーザの指定により前記影響度を取得する手段又は前記透過光源と前記反射光源の測定により前記影響度を取得する手段を用いて行われることが好ましい。
【００１９】
この発明は、上記の測色値算出方法を用いて印刷のプロファイルを生成する方法に関する。前記算出処理により、前記透過メディアに印刷されたカラーチャートの測色値を算出し、算出された前記カラーチャートの測色値に基づいて前記印刷のプロファイルを生成する生成処理を備えることが好ましい。
【００２０】
この発明は、プロファイル生成方法を用いて画像を色変換する色変換方法に関する。任意のプロファイルを入力プロファイルとして用い、前記プロファイル生成方法により生成された前記印刷のプロファイルを出力プロファイルとして用いて、印刷しようとする前記画像を表す画像データを色変換することが好ましい。
【００２１】
また、前記印刷のプロファイルを入力プロファイルとして用い、色校正装置のプロファイルを出力プロファイルとして用いて、前記色変換された前記画像データをさらに色変換して色校正装置に入力する処理と、前記色校正装置により出力された画像を参照しながら前記透過光源と前記反射光源の影響度を調整する調整処理とをさらに備えることが好ましい。
【００２２】
この発明は、透過光源及び反射光源が併存する観察環境下において、透過メディアに画像が形成された印刷物の色変換を行う色変換装置に関する。前記印刷物の分光透過率と前記印刷物の分光反射率を取得する第１の取得部と、前記透過光源の分光分布と前記反射光源の分光分布とを取得する第２の取得部と、前記第１の取得部により取得された前記印刷物の分光透過率及び前記印刷物の分光反射率、並びに前記第２の取得部により取得された前記透過光源の分光分布及び前記反射光源の分光分布を用いて前記観察環境下における前記印刷物の測色値を算出する算出部と、前記算出部により算出された前記観察環境下における前記印刷物の測色値に基づいて印刷プロファイルを生成するプロファイル生成部と、任意のプロファイルを入力プロファイルとして用い、前記プロファイル生成部により生成された前記印刷プロファイルを出力プロファイルとして用いて、印刷しようとする前記画像を表す画像データを色変換する色変換処理部とを有する。
【００２３】
この発明は、透過光源及び反射光源が併存する観察環境下において、透過メディアに画像が形成された印刷物の色変換を行うための色変換プログラムに関する。コンピュータを、前記印刷物の分光透過率と前記印刷物の分光反射率を取得する処理、前記透過光源の分光分布と前記反射光源の分光分布とを取得する処理、前記印刷物の分光透過率、前記印刷物の分光反射率、前記透過光源の分光分布及び前記反射光源の分光分布を用いて前記観察環境下における前記印刷物の測色値を算出する処理、算出された前記観察環境下における前記印刷物の測色値に基づいて印刷プロファイルを生成する処理、任意のプロファイルを入力プロファイルとして用い、生成された前記印刷プロファイルを出力プロファイルとして用いて、印刷しようとする前記画像を表す画像データを色変換する処理として機能させる。
【発明の効果】
【００２４】
本発明に係る測色値算出方法、プロファイル生成方法並びに色変換方法、その装置及びプログラムによれば、印刷物の分光透過率と印刷物の分光反射率を取得し、透過光源の分光分布と反射光源の分光分布とを取得し、取得された前記印刷物の分光透過率、前記印刷物の分光反射率、前記透過光源の分光分布及び前記反射光源の分光分布を用いて観察環境下における前記印刷物の測色値を算出するようにしたので、透過光源と反射光源の両方の影響下で観察される印刷物に適切なプロファイルを生成することが可能となり、適切なカラーマネジメントを行うことができる。
【図面の簡単な説明】
【００２５】
【図１】本実施形態に係るプロファイル生成装置が組み込まれた印刷システムの斜視説明図である。
【図２】本実施形態に係るカラーチャートの概略正面図である。
【図３】本実施形態に係るプロファイル生成装置の機能ブロック図である。
【図４】本実施形態に係る出力プロファイル管理部の機能ブロック図である。
【図５】図５Ａ〜図５Ｄは、本実施形態に係るプロファイル生成条件の設定画面の一例を示す図である。
【図６】本実施形態に係るプロファイル生成条件の設定画面の一例を示す図である。
【図７】本実施形態に係る印刷システムを用いて適切な印刷物を得るためのフローチャートである。
【図８】本実施形態に係るプロファイルの生成方法に関するフローチャートである。
【図９】図９Ａは、透過光源単体の輝度を測定する方法を説明する斜視図である。図９Ｂは、反射光源単体の輝度を測定する方法を説明する斜視図である。
【図１０】保護膜の光学物性値を推定するために作製された測定試料の概略断面図である。
【図１１】分光感度分布の変化を考慮した色変換処理部の詳細機能ブロック図である。
【図１２】本実施形態に係る色校正装置が組み込まれた印刷色校正システムの斜視説明図である。
【発明を実施するための形態】
【００２６】
以下、本発明に係る測色値算出方法についてそれを実施する測色値算出装置並びに印刷システムとの関係において好適な実施形態を挙げ、添付の図面を参照しながら詳細に説明する。
【００２７】
図１は、本実施形態に係る測色値算出装置としての画像処理装置１６が組み込まれた印刷システム１０の斜視説明図である。
【００２８】
印刷システム１０は、ＬＡＮ１２と、編集装置１４と、測色値算出装置としての画像処理装置１６と、印刷機１８と、第１の取得部としての測色計２０とを基本的に備える。
【００２９】
ＬＡＮ１２は、イーサネット（登録商標）等の通信規格に基づいて構築されているネットワークである。編集装置１４と、画像処理装置１６と、データベースＤＢとは、前記ＬＡＮ１２を介して有線又は無線により相互に接続されている。
【００３０】
編集装置１４は、文字、図形、絵柄や写真等から構成されるカラー画像の配置をページ毎に編集が自在であり、ページ記述言語（以下、ＰＤＬという。）による電子原稿、例えば、４色（ＣＭＹＫ）や３色（ＲＧＢ）のカラーチャンネルからなる８ビット画像データを生成する。
【００３１】
ここで、ＰＤＬとは、印刷や表示等の出力単位である「ページ」内で文字、図形等の書式情報、位置情報、色情報（濃度情報を含む）等の画像情報を記述する言語である。例えば、ＰＤＦ（Ｐｏｒｔａｂｌｅ  Ｄｏｃｕｍｅｎｔ  Ｆｏｒｍａｔの略で、ＩＳＯ３２０００−１：２００８に規定）、ＡｄｏｂｅＳｙｓｔｅｍｓ社のＰｏｓｔＳｃｒｉｐｔ（登録商標）やＸＰＳ（ＸＭＬ  Ｐａｐｅｒ  Ｓｐｅｃｉｆｉｃａｔｉｏｎ）等が知られている。
【００３２】
また、編集装置１４には図示しないカラースキャナが接続されており、該カラースキャナは、所定の位置にセットされたカラー原稿を光学的に読み取ることで、前記電子原稿の構成要素となるカラー画像データを取得可能である。
【００３３】
画像処理装置１６は、ＰＤＬによる電子原稿をビットマップ形式（ラスタ画像の一種）に展開し、所望の画像処理、例えば、色変換処理、画像拡縮処理や配置処理等を行い、印刷機１８の印刷方式に適した印刷信号に変換し、前記印刷機１８に前記印刷信号を送信する各機能を有している。
【００３４】
また、画像処理装置１６は、ＣＰＵ・メモリ等を有する本体２２と、カラー画像を表示する表示装置２４と、入力部としての入力装置２６（キーボード２８及びマウス３０）を備えている。さらに、画像処理装置１６には、電子データの記録・消去が自在な可搬型メモリ３２や測色計２０が接続されている。
【００３５】
印刷機１８は、Ｃ、Ｍ、Ｙ、Ｋの各色（プロセスカラー）からなる標準インクと、ＬＣ、ＬＭ等の淡色やＷ（白色）等のオプションインクとを組み合わせてカラー画像を形成するインクジェット方式の印刷装置である。この印刷機１８は、外部（例えば、画像処理装置１６）から受信した印刷信号に基づいて各色のインクの射出制御を行うことにより、印刷媒体としてのメディア３４（図１では、ロール状の未印刷のメディア３４）上にカラー画像を印刷し、印刷物３６（印刷物３６の一種であるカラーチャート３６ｃが含まれる。）を形成する。
【００３６】
メディア３４の基材には、ユポ・厚紙・アルミ蒸着紙等の紙類、塩化ビニル・ＰＥＴ等の樹脂やターポリン等を用いることができる。
【００３７】
測色計２０は、測定対象物の測色値を測定する。ここで測色値とは、三刺激値ＸＹＺ、均等色空間の座標値Ｌ*ａ*ｂ*等のみならず、波長に対する光学物性値の分布（以下、「分光データ」という。）、例えば、分光放射分布（分光分布）、分光感度分布、分光反射率又は分光透過率が含まれる。
【００３８】
このようにして得られた印刷物３６は、観察光源としての透過光源ＴＳ及び反射光源ＲＳの下で、所定の場所に掲示される。
【００３９】
図２は、本実施形態に係るカラーチャート３６ｃの概略正面図である。
【００４０】
カラーチャート３６ｃは、メディア３４上に印刷された、色の異なる１００個の略同形状のカラーパッチ３８と、該カラーパッチ３８の行方向及び列方向の配列位置を特定する数字列４０及びアルファベット文字列４２と、前記カラーチャート３６ｃの印刷条件を識別する情報からなる印刷情報４４とから構成される。
【００４１】
各カラーパッチ３８は、縦方向には１０個のカラーパッチ３８が隙間なく配置され、横方向には１０個のカラーパッチ３８が所定間隔の隙間を設けながら配置されている。各カラーパッチ３８の色は、ＣＭＹＫ値の各信号レベルの範囲（百分率では０％〜１００％、８ビット階調である場合は０〜２５５）の所定の値が設定されている。
【００４２】
数字列４０は、上から順に（０１）〜（１０）の文字列として、各カラーパッチ３８の左方部にその位置に対応するように設けられている。一方、アルファベット文字列４２は、左から順番に（Ａ）〜（Ｊ）の文字列として、各カラーパッチ３８の上方部にその位置に対応するように設けられている。
【００４３】
印刷情報４４には、印刷機１８の機種、シリアル番号若しくは登録名、後述する印刷モード、メディア３４の種類、印刷日時等が印刷されている。
【００４４】
図３は、本実施形態に係る画像処理装置１６の機能ブロック図である。なお、電子原稿は白抜実線矢印の方向に、カラーチャート３６ｃ用の画像データは白抜破線矢印の方向に、その他の各種データは実線矢印の方向にそれぞれ供給されることを表す。
【００４５】
画像処理装置１６の本体２２は、編集装置１４側から供給される電子原稿を入力するＩ／Ｆ４６と、該Ｉ／Ｆ４６を介して供給された電子原稿のＰＤＬ形式をビットマップ形式に展開するＲＩＰ４８（ラスタイメージングプロセッサ）と、該ＲＩＰ４８により展開された電子原稿のＣＭＹＫ値（あるいはＲＧＢ値）に対して所定の色変換処理を施して新たなＣＭＹＫ値の画像データを得る色変換処理部５０と、該色変換処理部５０により色変換されて得られた新たなＣＭＹＫ値の画像データを印刷機１８に適した印刷信号（インク射出制御データ）に変換する印刷機ドライバ５２と、該印刷機ドライバ５２により変換された印刷信号を印刷機１８側に出力するＩ／Ｆ５４とを備える。
【００４６】
また、本体２２は、印刷機１８毎にプロファイルを管理する色管理部５６と、カラーチャート３６ｃを印刷するための画像データを生成する画像データ生成部５８と、後述するラミネートフイルムの光学物性値を推定する光学物性値推定部６０と、表示装置２４との接続を可能とするＩ／Ｆ６２と、入力装置２６（マウス３０及びキーボード２８）との接続を可能とするＩ／Ｆ６４と、測色計２０との接続を可能とするＩ／Ｆ６６と、可搬型メモリ３２との接続を可能とするＩ／Ｆ６８とを備える。
【００４７】
さらに、本体２２は、その内部の各構成要素から供給される各種データを記憶し、あるいは記憶している各種データを各構成要素に供給する記憶部７０を備えている。該記憶部７０は、ＲＩＰ４８と、色変換処理部５０と、色管理部５６と、画像データ生成部５８と、光学物性値推定部６０と、Ｉ／Ｆ６２と、Ｉ／Ｆ６４と、Ｉ／Ｆ６６と、Ｉ／Ｆ６８とにそれぞれ接続されている。
【００４８】
なお、色変換処理部５０は、デバイス依存データからデバイス非依存データに変換する入力プロファイル処理部７２と、デバイス非依存データからデバイス依存データに変換する出力プロファイル処理部７４とを備える。ここで、デバイス依存データとは、各種デバイスを適切に駆動するためのＣＭＹＫ値、ＲＧＢ値等で定義されるデータである。また、デバイス非依存データとは、ＨＳＶ（Ｈｕｅ−Ｓａｔｕｒａｔｉｏｎ−Ｖａｌｕｅ）、ＨＬＳ（Ｈｕｅ−Ｌｉｇｈｔｎｅｓｓ−Ｓａｔｕｒａｔｉｏｎ）、ＣＩＥＬＡＢ、ＣＩＥＬＵＶ、ＸＹＺ等の表色系で定義されるデータである。
【００４９】
なお、色管理部５６は、印刷機１８毎に入力プロファイルを生成する入力プロファイル生成部７６と、印刷機１８毎に出力プロファイルを生成する出力プロファイル生成部７８とを備える。
【００５０】
また、ＲＩＰ４８は、電子原稿のビットマップ形式化の際に、印刷機１８の解像度等に対応した画像拡縮処理や、印刷フォーマットに対応した回転・反転処理等の種々の画像処理を行うことができる。
【００５１】
さらに、印刷機ドライバ５２は、ＣＭＹＫ値からインク各色（ＣＭＹＫ、ＬＣ、ＬＭ、又はＷ）に対応するインク射出制御用データを作成する。このインク射出制御用データは、印刷機１８のインク射出動作（ＯＮ・ＯＦＦやインクドット径の大小等）との間でその印刷機１８固有のデータ定義に従って関連付けられている。その際、８ビット多階調画像から２値画像等の低階調画像への変換を要するが、ディザマトリクス法や誤差拡散法等の公知のアルゴリズムを用いることができる。
【００５２】
さらに、入力プロファイル処理部７２又は出力プロファイル処理部７４は、印刷機１８の印刷モードに応じてプロファイルを補正することができる。ここで、印刷モードとは、印刷ヘッドのノズル数、印刷ヘッドの走査時におけるインク射出タイミング（片方向／双方向）、パス数、搭載インク色数及びその種類、インク射出制御用データ作成のアルゴリズム等の、印刷に関する各種設定をいう。
【００５３】
さらに、ＣＰＵ等で構成される制御部（不図示）は、この画像処理に関するすべての制御を行う。すなわち、本体２２内部の各構成要素の制御（例えば、記憶部７０のデータ読出し・書込み）のみならず、Ｉ／Ｆ６２を介して表示装置２４に表示信号を送信する制御や、Ｉ／Ｆ６６を介して測色計２０から測色データを取得する制御等も含まれる。
【００５４】
第１の実施形態に係る画像処理装置１６は以上のように構成され、上述した各画像処理機能は、基本プログラム（オペレーティングシステム）上で動作する応用プログラムを用いて実現することができる。
【００５５】
図４は、本実施形態に係る出力プロファイル生成部７８の機能ブロック図である。
【００５６】
出力プロファイル生成部７８は、データ選択部９０と、測色値算出部９２と、ＬＵＴ生成部９４とから基本的に構成される。
【００５７】
データ選択部９０は、記憶部７０から読み出された、設定データ９６と、メディアの分光透過率データ群９８と、メディアの分光反射率データ群１００と、透過光源の分光放射分布データ群１０２と、反射光源の分光放射分布データ群１０４とに基づいて、プロファイル生成条件におけるメディア３４の分光透過率データ（以下、第１の分光データ１０６という。）、メディア３４の分光反射率データ（以下、第２の分光データ１０８という。）、透過光源ＴＳの分光放射分布データ（以下、第３の分光データ１１０という。）及び反射光源ＲＳの分光放射分布データ（以下、第４の分光データ１１２という。）を選択する。ここで、設定データ９６は、作業者により設定されるメディア３４、透過光源ＴＳ及び反射光源ＲＳの種類であり、プロファイル生成条件に関する設定データである。
【００５８】
測色値算出部９２は、データ選択部９０により選択された第１、第２、第３及び第４の分光データ１０６、１０８、１１０及び１１２と、印刷物３６の見え方に対する透過光源ＴＳ及び反射光源ＲＳの寄与率を表す影響度データ１１４とに基づいて、プロファイル生成条件における測色値データ１１６を算出する。
【００５９】
ＬＵＴ生成部９４は、測色値算出部９２により算出された測色値データ１１６と、各カラーパッチ３８（図２参照）に対応するＣＭＹＫ値データ１１８とに基づいて、プロファイル生成条件におけるＬＵＴ１２０を生成する。
【００６０】
本実施形態では、１００個のカラーパッチ３８（パッチ番号は０〜９９）に対するそれぞれの分光データが設けられており、光波長はλ1〜λ41である４１点のデータを有している。例えば、λ1＝４００ｎｍ、……、λ41＝８００ｎｍの１０ｎｍ間隔とすることができる。
【００６１】
図５Ａ〜図５Ｄは、本実施形態に係るプロファイル生成条件の設定画面の一例を示す図である。
【００６２】
設定画面１３０は、上から順番に、３個のプルダウンメニュー１３２、１３４、１３６と、テキストボックス１３８と、［生成］、［中止］と表示されたボタン１４０、１４２とを備える。
【００６３】
プルダウンメニュー１３２の左方部には、「メディア」なる文字列が表示されている。マウス３０の所定の操作により、図５Ｂに示すように、プルダウンメニュー１３２の下方部に選択欄１４４が併せて表示され、その右側にスクロールバー１４６が設けられている。
【００６４】
プルダウンメニュー１３４の左方部には、「透過光源」なる文字列が表示されている。マウス３０の所定の操作により、図５Ｃに示すように、プルダウンメニュー１３４の下方部に選択欄１４８が併せて表示され、その右側にスクロールバー１５０が設けられている。
【００６５】
プルダウンメニュー１３６の左方部には、「反射光源」なる文字列が表示されている。マウス３０の所定の操作により、図５Ｄに示すように、プルダウンメニュー１３６の下方部に選択欄１５２が併せて表示され、その右側にスクロールバー１５４が設けられている。
【００６６】
図５Ａに示すテキストボックス１３８の左方部には、「プロファイル名」なる文字列が表示されている。キーボート３０の所定の操作により、文字情報の入力が自在である。
【００６７】
図６は、本実施形態に係るプロファイル生成条件の設定画面の一例を示す図である。
【００６８】
設定画面１６０は、上から順に、矢印１６２、ゲージ１６４、スライダ１６６、２つのテキストボックス１６８、１７０、［決定］、［中止］と表示されたボタン１７２、１７４とを備える。
【００６９】
矢印１６２は、設定画面１６０の左右方向に延在して設けられており、左方部の先端には「透過光」と表示され、右方部の先端には「反射光」と表示されている。ゲージ１６４は、設定画面１６０の左右方向に延在して設けられており、このゲージ１６４上に左右方向に移動が自在であるスライダ１６６が設けられている。
【００７０】
ゲージ左端の下方部には、数字の入力が自在なテキストボックス１６８が設けられており、「０．４」なる数字を表示している。ゲージ右端の下方部には、数字の入力が自在なテキストボックス１７０が設けられており、「０．６」なる数字を表示している。
【００７１】
本実施形態に係る印刷システム１０は、基本的には以上のように構成されるものであり、次にその動作について説明する。
【００７２】
図７は、本実施形態に係る印刷システム１０を用いて適切な印刷物３６を得るためのフローチャートである。主に図１を参照しながら説明する。
【００７３】
先ず、作業者は、形成しようとする印刷物３６に関する印刷条件やその観察態様を調査する（ステップＳ１）。ここで、印刷条件とは、印刷に使用する印刷機１８の種類、メディア３４の種類や前述した印刷モード等である。また、観察態様とは、透過光源ＴＳ又は反射光源ＲＳの分光放射分布や印刷物３６の掲示態様（反射、透過、又はその混合）等である。
【００７４】
次いで、作業者は、印刷機１８に適切なプロファイルを選定する（ステップＳ２）。通常、入力プロファイル又は出力プロファイルは、本体２２の記憶部７０に保存されている。印刷機１８に適切なプロファイルが登録（記憶部７０に記憶）されていない場合は、出力プロファイルを別途生成することができる。
【００７５】
次いで、印刷機１８を用いて電子原稿を印刷し、印刷物３６を得る（ステップＳ３）。ここで、図示しないラミネート処理装置を用いて印刷物３６にラミネート処理を施し、その画像形成面上に保護膜を設けてもよい。そうすれば、画像の擦過性・堅牢性を向上させることができる。
【００７６】
次いで、印刷物３６のカラー画像の色を評価し（ステップＳ４）、画像の色が適切か否かを判断する（ステップＳ５）。所望の色合いが得られたか否かについての評価方法としては、画像の全体的外観又は部分的外観に着目し、作業者等の目視により良否を判断する方法、あるいは、測色計２０を用いて印刷物３６の所定の箇所を測色し、その値が所望の範囲内に収まるか否かで判断する方法等が使用される。
【００７７】
この画像評価の結果、印刷物３６の画像の色が適切でないと判断された場合は、プロファイルの変更を行うことにより色の微調整を行う（ステップＳ６）。この具体的方法としては、プロファイルの再設定・再生成や、プロファイルの微調整（現在設定されているプロファイルの補正）等が挙げられる。
【００７８】
以下、印刷と評価を繰り返すことにより（ステップＳ３〜Ｓ６）、所望の色の印刷物３６が得られる。
【００７９】
ここで、電子原稿の印刷（ステップＳ３）の際の、画像処理装置１６による画像処理の流れについて、図３を参照しながら詳細に説明する。
【００８０】
編集装置１４から供給された電子原稿（ＰＤＬ形式）が、ＬＡＮ１２及びＩ／Ｆ４６を介して画像処理装置１６に入力されると、前記電子原稿は、ＲＩＰ４８によりそれぞれ８ビットのＣＭＹＫビットマップ形式（デバイス依存の画像データ）に展開され、入力プロファイル処理部７２によりＸＹＺ（デバイス非依存の画像データ）に変換され、出力プロファイル処理部７４によりＣＭＹＫ値（デバイス依存の画像データ）に変換され、印刷機ドライバ５２により印刷信号（すなわち、インク射出制御データ）に変換され、Ｉ／Ｆ５４を介して印刷機１８に供給される。必要に応じて、ＲＩＰ４８で展開されたＣＭＹＫビットマップ形式の画像データを記憶部７０に一時的に保存する。その後、印刷機１８により所望の印刷物３６が印刷される。
【００８１】
このとき、複数の設定条件に対応する入力プロファイル及び出力プロファイルが予め記憶部７０に記憶されているので、予め設定された各種条件に応じて選択的に、入力プロファイルが入力プロファイル処理部７２に供給され、出力プロファイルが出力プロファイル処理部７４に供給される。ここで、各プロファイルに対して印刷機１８の印字モード等を加味した補正を適宜行うように構成すれば、さらに適切な色変換処理を行うことができる。
【００８２】
以上、本実施形態に係る印刷システム１０を用いて適切な印刷物３６を得るためのフローチャートを説明した。次いで、プロファイルの生成方法（ステップＳ２）について、図８に示すフローチャートを参照しながら詳細に説明する。
【００８３】
先ず、作業者は、光源の影響度のデータの有無を確認する（ステップＳ２１）。影響度のデータが無い場合は、その観察下の影響度を取得する（ステップＳ２２）。前述のように、影響度は、印刷物３６の見え方に対する透過光源ＴＳ及び反射光源ＲＳの寄与率を表す。例えば、各光源からの放射光のうち、印刷物３６を介して人間の網膜に到達する光量の比率が「影響度」に相当する。
【００８４】
図９Ａは、観察下における透過光源ＴＳ単体の輝度Ｌｔを測定する方法を説明する斜視図である。先ず、予め決定された印刷物３６の掲示場所に未印刷のメディア３４を配置し、その裏面側に平板状の拡散板１８８を密着させておく。ここで、裏面とは、メディア３４に画像が形成された場合におけるその観察面（表面）の反対の面である。
【００８５】
一方、メディア３４の表面側には分光放射輝度計１９０（第２の取得部）が設けられており、該分光放射輝度計１９０の光軸上にはメディア３４、拡散板１８８及び透過光源ＴＳが配置されている。また、分光放射輝度計１９０は、メディア３４に対して、印刷物３６の観察態様を想定した距離（例えば、一般的な観察距離である３５０ｍｍ）だけ離間されている。
【００８６】
さらに、反射光源ＲＳからメディア３４の表面側に入射する放射光を完全に遮断するため、分光放射輝度計１９０を覆うように暗幕１９２が設けられている。
【００８７】
このような配置関係下で、分光放射輝度計１９０によりメディア３４の表面側の輝度（ｃｄ／ｍ2）を測定する。そうすると、反射光源ＲＳの影響を除外した状態における透過光源ＴＳ単体の輝度Ｌｔを測定することができる。
【００８８】
図９Ｂは、観察下における反射光源ＲＳ単体の輝度Ｌｒを測定する方法を説明する斜視図である。図９Ａと比較して、メディア３４、拡散板１８８及び分光放射輝度計１９０並びにその配置関係が同一の構成である。
【００８９】
一方、図９Ａと比較して、暗幕１９２を取り外され、且つ、透過光源ＴＳが消灯されている点で構成が異なる。
【００９０】
このような配置関係下で、分光放射輝度計１９０によりメディア３４の表面側の輝度（ｃｄ／ｍ2）を測定する。そうすると、透過光源ＴＳの影響を除外した状態における反射光源ＲＳ単体の輝度Ｌｒを測定することができる。
【００９１】
その後、測定された輝度Ｌｔ、Ｌｒを用いて影響度を求めることができる。最も簡便で高精度な算出式として、（１）式及び（２）式のように、輝度の相対比をもって影響度Ｃｔ、Ｃｒとすることができる。
Ｃｔ＝Ｌｔ／（Ｌｔ＋Ｌｒ）          …（１）
Ｃｒ＝Ｌｒ／（Ｌｔ＋Ｌｒ）          …（２）
【００９２】
なお、（１）式及び（２）式より自明であるが、Ｃｔ＋Ｃｒ＝１の関係を満たしているので、Ｃｔ、Ｃｒは規格化されている。以降、本実施形態では、透過光源ＴＳ（反射光源ＲＳ）の寄与率Ｃｔ（Ｃｒ）を影響度とする。
【００９３】
この影響度のデータを取得した後、図６に示す設定画面１６０により影響度を設定する。ここで、テキストボックス１６８、１７０に表示される数値は、透過光源ＴＳ、反射光源ＲＳに対応する影響度Ｃｔ、Ｃｒをそれぞれ表す。
【００９４】
例えば、マウス３０（図１参照）のドラッグ操作により、スライダ１６６をゲージ１６４に沿って左右方向に移動させると影響度の設定が変更される。このとき、ゲージ１６４上でのスライダ１６６の停止位置に応じて影響度が決定され、その数値がテキストボックス１６８、１７０に表示される。
【００９５】
同様に、キーボード２８（図１参照）の操作によりテキストボックス１６８、１７０に所定の数字を入力し、影響度を設定することもできる。
【００９６】
設定画面１６０の下方部に設けられた［決定］ボタン１７２を押下すると影響度の値の設定が保存され、［中止］ボタン１７４を押下すると設定画面が閉じられて設定作業が終了する。
【００９７】
このようにして、観察下の光源の影響度が設定される（ステップＳ２３）。
【００９８】
次いで、作業者は、印刷に用いられるメディア３４の種類が登録されているか否かを確認する（ステップＳ２４）。
【００９９】
もし、登録されていなければ、そのメディア３４による印刷物３６の分光データを取得する（ステップＳ２５）。一例として、作業者は、分光データ（メディア３４による印刷物３６の分光透過率及び分光反射率）が格納された可搬型メモリ３２を準備し、画像処理装置１６の本体２２に接続する。そうすると、自動又は手動により分光データが新たに記憶部７０に記憶される。また、データベースＤＢ（図１参照）に分光データを管理させておき、必要に応じて該データベースＤＢから所望の分光データを取得できる構成であってもよい。
【０１００】
さらに、本体２２に接続された測色計２０を用いて、メディア３４による印刷物３６の分光データを直接取得することができる。この方法について、主に図３を参照しながら説明する。
【０１０１】
作業者は、表示装置２４に表示された図示しない設定画面上からカラーチャート３６ｃの印刷の要求を行う。すると、本体２２の画像データ生成部５８によりカラーチャート３６ｃを印刷するための画像データ（ＣＭＹＫ値）が生成され、白抜破線矢印の経路から印刷機ドライバ５２に供給され、電子原稿の印刷と同様の動作により印刷機１８側に供給される。このように、カラーチャート３６ｃ（図２参照）が印刷される。
【０１０２】
なお、各カラーパッチ３８の画素値に対応するＣＭＹＫ値データ１１８（図４参照）は、予め記憶部７０に記憶されており、画像データの生成の際に前記記憶部７０から読み出される。
【０１０３】
作業者は、画像処理装置１６に接続された測色計２０を用いて、カラーチャート３６ｃ（図２参照）の各カラーパッチ３８の分光透過率及び分光反射率を測定する。なお、測定に用いられる測色計２０は、測定モードの切り替えによって分光透過率又は分光反射率のいずれも測定できることが好ましい。
【０１０４】
また、同一のカラーチャート３６ｃを２回測定するので、図２のように、数字列４０及びアルファベット文字列４２で示される（Ａ）列の（０１）〜（１０）、（Ｂ）列の（０１）〜（１０）のように、各カラーパッチ３８を測色する順番を予め決定しておくことが好ましい。
【０１０５】
作業者による測色完了の通知に基づいて、各カラーパッチ３８に対応する分光データが、Ｉ／Ｆ６６を介して、メディア３４の種類と関連付けて記憶部７０に保存される（図３参照）。
【０１０６】
この分光データを保存した後、図５Ｂに示すプルダウンメニュー１３２の選択欄１４４から新たなメディア３４の種類として選択できるようになる。なお、本図では、［塩ビＡ］（ここで、「塩ビ」は塩化ビニル（ＰＶＣ）を意味する。）が設定されている。
【０１０７】
このようにして、メディア３４の種類が設定される（ステップＳ２６）。
【０１０８】
次いで、作業者は、観察下の光源（透過光源ＴＳ及び反射光源ＲＳ）の種類が登録されているか否かを確認する（ステップＳ２７）。登録されていなければ、その光源の分光データを取得する（ステップＳ２８）。上述のように、分光データ（すなわち、透過光源ＴＳ及び反射光源ＲＳの分光放射分布）が格納された可搬型メモリ３２を用いることができる。
【０１０９】
この分光データを保存した後、図５Ｃに示すプルダウンメニュー１３４の選択欄１４８から新たな透過光源ＴＳの種類として選択できるようになる。なお、本図では、［Ｆ８］（光源）が設定されている。
【０１１０】
また、図５Ｄに示すプルダウンメニュー１３６の選択欄１５２から新たな反射光源ＲＳの種類として選択できるようになる。なお、本図では、［Ａ］（光源）が設定されている。
【０１１１】
このようにして、観察下の光源（透過光源ＴＳ及び反射光源ＲＳ）の種類が設定される（ステップＳ２９）。
【０１１２】
最後に、ステップＳ２３で設定された影響度Ｃｔ（＝１−Ｃｒ）と、ステップＳ２６で設定されたメディア３４の種類と、ステップＳ２９で設定された透過光源ＴＳ及び反射光源ＲＳの種類とからなる各々のプロファイル生成条件を保存する（ステップＳ３０）。
【０１１３】
作業者は、図５Ａにおいて、生成・登録しようとするプロファイル名をテキストボックス１３８に入力した後、［生成］ボタン１４０を押下することにより、各種設定（設定データ９６）が自動的に記憶部７０に格納される。
【０１１４】
その後、図４に示すように、記憶部７０から供給された設定データ９６と、メディアの分光透過率データ群９８と、メディアの分光反射率データ群１００と、透過光源の分光放射分布データ群１０２と、反射光源の分光放射分布データ群１０４の中から、設定データ９６と対応付けられた第１、第２、第３及び第４の分光データ１０６、１０８、１１０及び１１２がデータ選択部９０により選択される。なお、第１の分光データ１０６及び第２の分光データ１０８は、同一のメディア３４の種類として選択されることはいうまでもない。
【０１１５】
測色値算出部９２により、第１、第２、第３及び第４の分光データ１０６、１０８、１１０及び１１２と、影響度データ１１４とに基づきプロファイル生成条件における測色値データ１１６が算出される。
【０１１６】
ここで、プロファイル生成条件における測色値データ１１６は、実測データに基づいて算出された、透過光源ＴＳ及び反射光源ＲＳが併存する環境下で印刷物３６を観察する場合におけるＸＹＺである。
【０１１７】
透過光源ＴＳ下における各カラーパッチ３８の三刺激値を（Ｘｔ，Ｙｔ，Ｚｔ）とする。この値は、透過光源ＴＳの分光放射分布と、印刷物３６の分光透過率と、等色関数とを乗算し、可視光波長の範囲内で積分した値に相当する。
【０１１８】
また、反射光源ＲＳ下における各カラーパッチ３８の三刺激値を（Ｘｒ，Ｙｒ，Ｚｒ）とする。この値は、反射光源ＲＳの分光放射分布と、印刷物３６の分光反射率と、等色関数とを乗算し、可視光波長の範囲内で積分した値に相当する。
【０１１９】
混合環境下における各カラーパッチ３８の三刺激値（Ｘ，Ｙ，Ｚ）は、影響度Ｃｔを用いて、次の（３）〜（５）式により算出できる。
Ｘ＝Ｃｔ・Ｘｔ＋（１−Ｃｔ）・Ｘｒ          …（３）
Ｙ＝Ｃｔ・Ｙｔ＋（１−Ｃｔ）・Ｙｒ          …（４）
Ｚ＝Ｃｔ・Ｚｔ＋（１−Ｃｔ）・Ｚｒ          …（５）
【０１２０】
本実施形態では、１００個のカラーパッチ３８をそれぞれ測定したので、１００組のＸＹＺが得られる。
【０１２１】
そして、ＬＵＴ生成部９４により、１００組の測色値データ１１６（ＸＹＺ）及び１００組のＣＭＹＫ値データ１１８との対応関係に基づいて出力プロファイルとしての３次元データ（ＸＹＺ）を４次元データ（ＣＭＹＫ）に変換するＬＵＴ１２０を生成することができる。
【０１２２】
なお、各プロファイル生成条件に対応する出力プロファイルを予め記憶部７０に記憶しておき、電子原稿の印刷要求の際に、設定条件に応じて選択的に出力プロファイルを読み出す構成を採っている。そうすれば、一度生成した出力プロファイルを再度生成する必要がなくなるので、画像処理に要する演算時間を短縮できる。
【０１２３】
一方、電子原稿の印刷要求の都度、印刷の設定条件に対応する出力プロファイルを生成し、該出力プロファイルを色変換処理部５０に供給する構成を採ってもよい。そうすれば、記憶部７０に記憶するデータ量を低減することができる。
【０１２４】
以上のようにして、図７のステップＳ２に示すように、印刷機１８のプロファイルを生成することができる。なお、以下の３点を考慮してプロファイルを生成することにより、色再現の精度がさらに向上するので好ましい。
【０１２５】
［１．保護膜を被覆させた後の印刷物の分光反射率の予測］
保護膜としてのラミネートフイルム２００（図１０参照）等を印刷物３６の画像形成面上に被覆させる場合、ラミネートフイルム２００の有無によりカラー画像の見えが無視できない程度に変化する。以下、このように形成された印刷物を「保護膜付印刷物」という。
【０１２６】
この保護膜付印刷物に対して厳密な色再現を行おうとする場合は、印刷物３６及びラミネートフイルム２００のすべての組み合わせに対してのカラーチャート３６ｃの印刷、ラミネート処理及びその測色の作業を行わなければならず、その煩に堪えない。
【０１２７】
保護膜付印刷物の分光透過率は、分光透過率の乗算則に従って、すなわち、印刷物３６の分光透過率とラミネートフイルム２００の分光透過率との乗算により、比較的容易に且つ高精度に予測される。
【０１２８】
しかし、保護膜付印刷物の分光反射率は、このような乗算則が成立しない場合があるため、その予測は容易でない。そこで、クベルカ・ムンク（Ｋｕｂｅｌｋａ−Ｍｕｎｋ）モデルを用いて、保護膜付印刷物の分光反射率を予測することが精度上好ましい。
【０１２９】
具体的には、以下の（６）式に基づいて、保護膜付印刷物の分光反射率Ｒが予測される。なお、各変数とも光波長毎の関数であるが、説明の便宜のため省略する。
Ｒ＝［（Ｒg−Ｒ∞）／Ｒ∞−Ｒ∞（Ｒg−１／Ｒ∞）ｅｘｐ｛Ｓｘ（１／Ｒ∞−Ｒ∞）｝］／［（Ｒg−Ｒ∞）−（Ｒg−１／Ｒ∞）ｅｘｐ｛Ｓｘ（１／Ｒ∞−Ｒ∞）｝］          …（６）
【０１３０】
ここで、［Ｒg］は印刷物３６単体の分光反射率（第２の分光データ１０８）、［Ｒ∞］はラミネートフイルム２００の分光固有反射率、［Ｓ］はラミネートフイルム２００の単位厚さ当たりの散乱係数、［ｘ］はラミネートフイルム２００の厚さを表す。
【０１３１】
ラミネートフイルム２００の光学物理値であって、且つ、未知の変数であるＲ∞（固有反射率）及びＳｘ（散乱係数）を実験的に推定する方法を具体的に説明する。
【０１３２】
図１０は、ラミネートフイルム２００の光学物性値を推定するために作製された測定試料１９４の概略断面図である。
【０１３３】
測定試料１９４は、白色の不透明体からなる分光反射率Ｒｇ1の基材１９６と、黒色材１９８と、測定対象としてのラミネートフイルム２００とから構成される。
【０１３４】
作業者は、測色計２０を用いて測定試料１９４の各部位の分光反射率を測定する。その結果、基材１９６上にラミネートフイルム２００を被覆したときの分光反射率をＲ1、前記基材１９６上に黒色材１９８を設けたときの分光反射率をＲｇ2、前記基材１９６上に前記黒色材１９８を介してラミネートフイルム２００を被覆したときの分光反射率をＲ2（Ｒ1＞Ｒ2）とする測定値が得られたとする。
【０１３５】
この測定値は、画像処理装置１６（本体２２）が備えるＩ／Ｆ６６を介して、記憶部７０に一旦記憶される。その後、光学物性値推定部６０に供給され、以下に示す数式にしたがってのような演算処理が行われる。
ラミネートフイルム２００の固有反射率Ｒ∞は、数学的解析により、
Ｒ∞＝｛Ｃ−√（Ｃ2−４）｝／２          …（７）
Ｃ＝｛（Ｒ1＋Ｒｇ2）（Ｒ2・Ｒｇ1−１）−（Ｒ2＋Ｒｇ1）（Ｒ1・Ｒｇ2−１）｝／（Ｒ2・Ｒｇ1−Ｒ1・Ｒｇ2）          …（８）
として算出される。なお、Ｒ1＜Ｒ2の場合は（８）式の添字１及び２を逆にする。ここで、固有反射率Ｒ∞は、試料が無限の厚みを有すると仮定した場合の反射率である。
【０１３６】
次いで、実測値Ｒn（ｎ＝１又は２）と、実測値Ｒｇn（ｎ＝１又は２）と、（５）式で算出したＲ∞とを用いて、ラミネートフイルム２００の散乱係数Ｓ及び厚さｘは、
Ｓ・ｘ＝ｌｎ［｛（Ｒ∞−Ｒｇn）（１／Ｒ∞−Ｒn）｝／｛（Ｒ∞−Ｒn）（１／Ｒ∞−Ｒｇn）｝］／（１／Ｒ∞−Ｒ∞）          …（９）
として算出できる。
【０１３７】
ここで、Ｓは単位厚さ当たりの散乱係数であり、ｘはラミネートフイルム２００の厚さである。散乱係数の定義に関して、説明の便宜上、Ｓｘ（＝Ｓ・ｘ）を膜厚ｘでの散乱係数（つまり、１つの変数）として定義するが、Ｓ、Ｓｘのいずれを用いてもよい。また、吸収係数Ｋも同様である。
【０１３８】
なお、固有反射率Ｒ∞、散乱係数Ｓ及び吸収係数Ｋの間には、
Ｋ／Ｓ＝（１−Ｒ∞）2／２Ｒ∞          …（１０）
の関係があることから、固有反射率Ｒ∞や散乱係数Ｓ（又はＳｘ）ではなく、吸収係数Ｋ（又はＫｘ）を用いてもよい。これら３つの光学物性値のうちいずれか２つの値が決定されると、もう１つの値が一意に定まるからである。
【０１３９】
さらに、Ｓａｕｎｄｅｒｓｏｎの補正式等を用いて、実測された分光反射率Ｒnを補正した上で、Ｋｕｂｅｌｋａ−Ｍｕｎｋモデルを適用してもよい（“Ｃａｌｃｕｌａｔｉｏｎ  ｏｆ  ｔｈｅ  ｃｏｌｏｒ  ｐｉｇｍｅｎｔ  ｐｌａｓｔｉｃｓ”，ＪＯＵＲＮＡＬ  ＯＦ  ＴＨＥ  ＯＰＴＩＣＡＬ  ＳＯＣＩＥＴＹ  ＯＦ  ＡＭＥＲＩＣＡ，ＶＯＬＵＭＥ３２，ＰＰ，７２７−７３６，１９４２  参照）。この補正により、ラミネートフイルム２００と外部との界面における光反射がさらに考慮されるので、保護膜付印刷物の分光反射率をさらに高精度に予測できる。
【０１４０】
このようにして、ラミネートフイルム２００の光学物性値を用いて、保護膜付印刷物の分光透過率及び分光透過率が精度良く推定できる。
【０１４１】
［２．分光感度分布の変化を考慮した色変換処理］
通常のＩＣＣプロファルによる色変換は、標準光源（Ｄ５０）下でのカラーマッチングを前提としている。したがって、Ｄ５０光源下での平均的な観察者の分光感度分布を参考にして等色関数が決定され、その関数に基づいて三刺激値ＸＹＺが算出される。
【０１４２】
ところが、周囲の環境光に応じて観察者の分光感度分布が変化するので、その結果、主光源が同一であっても色の見え方が変化する現象（いわゆる色順応）が起こり得る。特に、暗所での透過画像と明所での反射画像とでは周囲の環境光の差は大きいので、適切なカラーマッチングが実現できないおそれがある。そこで、分光受光感度の変化をさらに考慮した色変換処理を行うことが好ましい。
【０１４３】
図１１は、分光感度分布の変化を考慮した色変換処理部５０の詳細機能ブロック図である。なお、本図の左端及び右端に示される「Ａ」、「Ｄ５０」、「Ｆ８」の各レベルは、各種変換処理が施される各画像データに対応する分光感度分布（等色関数）の属性を表している。
【０１４４】
ＣＭＹＫ値データ２０２は、入力プロファイル処理部７２によりＬ*ａ*ｂ*値データ２０４に変換され、出力プロファイル処理部７４によりＣＭＹＫ値データ２０６に変換される。以下、ＣＭＹＫ値データ２０２はＡ光源下で、ＣＭＹＫ値データ２０６はＦ８光源下で適切な画像データである場合について説明する。
【０１４５】
先ず、ＣＭＹＫ値データ２０２は、ＣＭＹＫ−ＸＹＺ変換処理部２０８によりＤ５０光源に対応するＸＹＺ値データに一旦変換される。上述のように、ＩＣＣプロファイルによる色変換は、Ｄ５０光源下でのカラーマッチングを前提としているからである。
【０１４６】
次いで、色順応変換処理部２１０により、前記Ｄ５０光源に対応するＸＹＺ値データからＡ光源に対応するＸＹＺ値データに変換される。この色順応変換には種々の変換モデルを用いることができる。例えば、Ｖｏｎ−Ｋｒｉｅｓ変換を用いてもよいし、プロファイルに保存されている色順応行列を利用してもよい。
【０１４７】
次いで、ＸＹＺ−Ｌ*ａ*ｂ*変換処理部２１２により、Ａ光源に対応するＸＹＺ値データからＬ*ａ*ｂ*値データ２０４に変換される。このＬ*ａ*ｂ*値データ２０４は、デバイスや観察光源に依存しない色知覚空間上のデータである。なお、ＣＩＥＣＡＭ９７ｓ、ＣＩＥＣＡＭ０２などのモデルを用いてもよい。
【０１４８】
次いで、Ｌ*ａ*ｂ*値データ２０４は、Ｌ*ａ*ｂ*−ＸＹＺ変換処理部２１４によりＦ８光源に対応するＸＹＺ値データに変換され、色順応変換処理部２１６によりＤ５０光源に対応するＸＹＺ値データに一旦変換される。上述と同様の理由による。
【０１４９】
最後に、ＸＹＺ−ＣＭＹＫ変換処理部２１８により、前記Ｄ５０光源に対応するＸＹＺ値データからＣＭＹＫ値データ２０６に変換される。このＣＭＹＫ値データ２０６は、印刷機１８により印刷されＦ８光源下で観察された場合、適切な色の印刷物３６を得るためのＣＭＹＫ値データである。
【０１５０】
このようにして、分光感度分布の変化をさらに考慮した色変換処理を行うことが可能となり、周囲の環境光の差が大きい場合（例えば、暗所での透過画像と明所での反射画像）であっても、適切なカラーマッチングが実現できる。
【０１５１】
［３．色校正装置を用いた印刷色予測シミュレーション］
透過光源ＴＳと反射光源ＲＳとの影響度を求める一例として、透過光源ＴＳ及び反射光源ＲＳの単体の輝度Ｌｔ及びＬｒをそれぞれ測定する方法を開示した（図９Ａ及び図９Ｂ参照）。しかし、輝度Ｌｔ及びＬｒの測定データを有していない場合や、取得した影響度Ｃｔに対してさらに微調整したい場合がある。
【０１５２】
そこで、印刷機１８を用いることなく、透過光源ＴＳ及び反射光源ＲＳが併存する観察下での印刷物３６の色の見え方を予測し、最適な影響度を決定する印刷色校正システム３００を構築することができる。
【０１５３】
図１２は、本実施形態に係る色校正装置としての高機能モニタ３０４が組み込まれた印刷色校正システム３００の斜視説明図である。
【０１５４】
印刷色校正システム３００は、画像処理機能を備えるＰＣ３０２と、色校正装置としての高機能モニタ３０４とから構成される。
【０１５５】
ＰＣ３０２は、ＬＡＮ１２と接続されており、画像処理装置１６と有線又は無線により相互に接続されている。高機能モニタ３０４は、高輝度、広域ガマット、高コントラスト比等の高い表示性能を有しており、印刷機１８のガマットを略再現可能である。
【０１５６】
ＰＣ３０２は、画像処理装置１６側から供給される電子原稿を入力するＩ／Ｆ３０６と、該Ｉ／Ｆ３０６を介して供給された電子原稿のＣＭＹＫ値に対して所定の色変換処理を施して新たなＲＧＢ値の画像データを得る色変換処理部３０８（入力プロファイル処理部３１０及び出力プロファイル処理部３１２）と、該色変換処理部３０８により色変換されて得られた新たなＲＧＢ値の画像データを高機能モニタ３０４に適した表示信号に変換するモニタドライバ３１４と、該モニタドライバ３１４により変換された表示信号を高機能モニタ３０４側に送信するＩ／Ｆ３１６とを備える。
【０１５７】
また、ＰＣ３０２は、入力プロファイル及び出力プロファイルを記憶する記憶部３１８を備えている。記憶部３１８は、入力プロファイル処理部３１０に入力プロファイルを供給するとともに、入力プロファイル処理部３１２に出力プロファイルを供給する。
【０１５８】
このように構成しているので、次のような高機能モニタ３０４を用いた印刷色予測シミュレーションを行うことができる。これについて以下説明する。
【０１５９】
図３に示す出力プロファイル処理部７４により変換された画像データ（印刷機ドライバ５２に供給される直前の画像データ）を図示しないＩ／Ｆを介して画像処理装置１６の外部に送信する。その際、印刷機１８の印刷プロファイルも同時に送信する。これらのデータは、ＬＡＮ１２を介し、図１２に示すＩ／Ｆ３０６を介しＰＣ３０２側に供給される。
【０１６０】
印刷機１８の印刷プロファイルは一旦記憶部３１８により記憶され、その後、入力プロファイル及び出力プロファイルは色変換処理部３０８に供給される。ここで、印刷機１８の印刷プロファイルが入力プロファイル処理部３１０に供給され、高機能モニタ３０４の表示プロファイルが出力プロファイル処理部３１２に供給される。
【０１６１】
一方、Ｉ／Ｆ３０６を介して供給されたＣＭＹＫビットマップ形式画像データは、入力プロファイル処理部３１０によりＬ*ａ*ｂ*に変換され、出力プロファイル処理部３１２によりＲＧＢ値に変換され、モニタドライバ３１４により表示信号に変換され、Ｉ／Ｆ３１６を介して高機能モニタ３０４に供給される。その後、高機能モニタ３０４により所望の参照画像が表示される。
【０１６２】
作業者は、高機能モニタ３０４に表示された参照画像の色合いを目視で確認する。この参照画像の色合いが適切でないと判断したとき、作業者は、表示装置２４又は高機能モニタ３０４に表示された設定画面１６０（図６参照）のスライダ１６６を左右方向にスライドさせ、影響度データ１１４（図４参照）の値を変更させる。
【０１６３】
この値の変更に従って、印刷機１８の印刷プロファイル及び画像データ（印刷機ドライバ５２に供給される直前の画像データ）が更新され、上述と同様にして参照画像が高機能モニタ３０４に即時に表示される。
【０１６４】
このようにして、作業者は、参照画像の色合いを目視で確認しながら影響度を微調整することができる。すなわち、色校正装置としての高機能モニタ３０４を用いて印刷色予測シミュレーションを行った上で、最適な影響度を推定することができる。影響度の変更の都度に印刷物３６を得ることなく参照画像の確認ができるので、効率的且つ経済的である。
【０１６５】
なお、この発明は、上述した実施形態に限定されるものではなく、この発明の主旨を逸脱しない範囲で自由に変更できることは勿論である。
【０１６６】
例えば、本実施形態では、カラーチャート３６ｃが有するカラーパッチ３８の個数を１００個、分光データの数を４１点、光波長の間隔を１０ｎｍとしているが、色再現精度、画像処理時間等を総合的に勘案し、これらを自由に変更できるように構成してもよい。
【０１６７】
また、本実施形態では、印刷機１８がインクジェット方式である構成を採っているがこれに限定されることなく、電子写真、感熱方式等であっても本発明の作用効果を得ることができる。
【符号の説明】
【０１６８】
１０…印刷システム                        １４…編集装置
１６…画像処理装置                        １８…印刷機
２０…測色計                              ２２…本体
２４…表示装置                            ２６…入力装置
３４…メディア                            ３６…印刷物
３６ｃ…カラーチャート                    ３８…カラーパッチ
４６、５４、６２、６４、６６、６８、３０６、３１６…Ｉ／Ｆ
４８…ＲＩＰ                              ５０、３０８…色変換処理部
５２…印刷機ドライバ                      ５６…色管理部
５８…画像データ生成部                    ６０…光学物性値推定部
７０、３１８…記憶部                      ７２、３１０…入力プロファイル処理部
７４、３１２…出力プロファイル処理部      ７６…入力プロファイル生成部
７８…出力プロファイル生成部              ９０…データ選択部
９２…測色値算出部                        ９４…ＬＵＴ生成部
９６…設定データ                          ９８…メディアの分光透過率データ群
１００…メディアの分光反射率データ群      １０２…透過光源の分光放射分布データ群
１０４…反射光源の分光放射分布データ群    １０６…第１の分光データ              １０８…第２の分光データ                  １１０…第３の分光データ              １１２…第４の分光データ                  １１４…影響度データ                  １１６…測色値データ                      
１１８、２０２、２０６…ＣＭＹＫ値データ  １２０…ＬＵＴ
１３０、１６０…設定画面                  
１３２、１３４、１３６…プルダウンメニュー
１３８、１６８、１７０…テキストボックス  １４０、１４２、１７２、１７４…ボタン１６６…スライダ                          ２０４…Ｌ*ａ*ｂ*値データ
２１０、２１６…色順応変換処理部          ３００…印刷色校正システム
３０２…ＰＣ                              ３０４…高機能モニタ
３１４…モニタドライバ
【図１】
2011061723.tif 000003
【図２】
2011061723.tif 000004
【図３】
2011061723.tif 000005
【図４】
2011061723.tif 000006
【図５】
2011061723.tif 000007
【図６】
2011061723.tif 000008
【図７】
2011061723.tif 000009
【図８】
2011061723.tif 000010
【図９】
2011061723.tif 000011
【図１０】
2011061723.tif 000012
【図１１】
2011061723.tif 000013
【図１２】
2011061723.tif 000014